(57)【要約】    【構成】  テレビジョン受像機１０の電源Ｖｃｃがオン状態のとき、フライバックトランス１６からブラウン管１８のアノード１８ａに高電圧が供給され続けるので、アノード１８ａの高電圧は維持される。次に、電源Ｖｃｃがオフされると、マルチバイブレータ１２は、寄生容量Ｃ４に蓄積された電荷の放電によって供給される第１水平ドライブ信号に基づいて、第２水平ドライブ信号をドライブトランス１４に与える。第２水平ドライブ信号の周波数は共振回路２０の共振周波数とは異なるので、ドライブトランス１４は大きなパルス電圧をフライバックトランス１６に与えられない。このため、カソード１８ｂから電子ビームを引き出し続けると、アノード１８ａに保持されていた高電圧が放電される。    【効果】  第２水平ドライブ信号の周波数は共振回路の共振周波数とは異なる周波数であればよく、またブラウン管、スイッチングトランジスタおよび偏向ヨークのタイミングを調整しなくてもよいので、テレビジョン受像機の製造コストを低く押さえることができる。【選択図】  図１
2005203867.tif 000002
【特許請求の範囲】
【請求項１】
第１周波数を有する第１水平ドライブ信号を出力する第１水平ドライブ回路、前記第１水平ドライブ信号を増幅して第１周波数を有するドライブ電流を出力するドライブトランス、前記第１周波数で共振するとともに前記ドライブトランスから出力された前記ドライブ電流に基づいてパルス電圧を発生させる共振回路、および前記共振回路で発生させた前記パルス電圧を昇圧／整流して陰極線管のアノードに向けて出力するフライバックトランスを備える水平出力回路において、
電源がオフ状態になったとき寄生容量の電荷によって、前記第１水平ドライブ信号の替わりに第２周波数を有する第２水平ドライブ信号を前記ドライブトランスに向けて出力する第２水平ドライブ回路を備えることを特徴とする、水平出力回路。
【請求項２】
前記第２周波数は前記第１周波数よりも高い、請求項１記載の水平出力回路。
【請求項３】
前記第２水平ドライブ回路は単安定マルチバイブレータを含む、請求項１または２記載の水平出力回路。
【請求項４】
請求項１ないし３のいずれかに記載の水平出力回路を備える、テレビジョン受像機。
【発明の詳細な説明】
【技術分野】
【０００１】
この発明は、水平出力回路に関し、特にたとえば、テレビジョン受像機に適用され、電源オフ時に陰極線管のアノードに保持されている高電圧を放電させる、水平出力回路に関する。
【背景技術】
【０００２】
テレビジョン受像機の電源がオン状態のとき、ブラウン管のカソードから電子ビームを引き出すため、フライバックトランスによって生成された数十ｋＶの高電圧がアノードに印加される。ブラウン管の静電容量が大きいため、アノードに印加された高電圧は、テレビジョン受像機の電源がオフされた後も長時間に渡ってアノードに保持される。このため、この高電圧を安全な方法で放電させる必要がある。
【０００３】
アノードに保持される高電圧を放電させる従来の回路の一例が、特許文献１および特許文献２に開示されている。
【０００４】
特許文献１の先行技術では、テレビジョン受像機の電源がオフされた瞬間に、カソードから引き出される電子ビームのビーム電流を大きくして、アノードに保持される高電圧を放電させる。
【０００５】
特許文献２の先行技術では、フライバックトランスとブラウン管のアノードとの間に、ブリーダ抵抗と呼ばれる高電圧放電用抵抗が取り付けられている。このため、テレビジョン受像機の電源がオフされたとき、ブリーダ抵抗を通してアノードに保持される高電圧を徐々に放電させる。
【特許文献１】特開平３−７０３７０号公報［Ｈ０４Ｎ  ３／２０］
【特許文献２】特開平５−３４４３７６号公報［Ｈ０４Ｎ  ３／２６、３／１８５］
【発明の開示】
【発明が解決しようとする課題】
【０００６】
しかし、特許文献１の先行技術では、大きなビーム電流を流す前に電源をオフして水平発振回路および偏向回路の動作を停止させると、電子ビームがブラウン管の中心部に集中して、ブラウン管の中心部が焼けてしまう。このため、水平発振回路および偏向回路が動作を停止する前に、大きなビーム電流を流す必要がある。このタイミングは、使用するブラウン管、水平発振回路および偏向回路によって異なるので、それらに応じて設計する必要があった。このため、設計に手間がかかり、水平出力回路の製造コストが高くなるという問題があった。
【０００７】
また、特許文献２の先行技術では、ブリーダ抵抗が高価であるため、製造コストが高くなるという問題があった。
【０００８】
それゆえに、この発明の主たる目的は、製造コストの低い、水平出力回路を提供することである。
【課題を解決するための手段】
【０００９】
請求項１の発明は、第１周波数を有する第１水平ドライブ信号を出力する第１水平ドライブ回路、第１水平ドライブ信号を増幅して第１周波数を有するドライブ電流を出力するドライブトランス、第１周波数で共振するとともにドライブトランスから出力されたドライブ電流に基づいてパルス電圧を発生させる共振回路、および共振回路で発生させたパルス電圧を昇圧／整流し陰極線管のアノードに向けて出力するフライバックトランスを備える水平出力回路において、電源がオフ状態になった寄生容量の電荷によって、第１水平ドライブ信号の替わりに第２周波数を有する第２水平ドライブ信号をドライブトランスに向けて出力する第２水平ドライブ回路を備えることを特徴とする、水平出力回路である。
【００１０】
請求項１の発明によれば、電源がオン状態のときは、第１水平ドライブ回路から与えられる第１周波数の第１水平ドライブ信号がドライブトランスに向けて出力される。ドライブトランスは第１水平ドライブ信号を増幅して第１周波数を有するドライブ電流を出力する。共振回路は、ドライブトランスから出力されたドライブ電流に基づいてパルス電圧を発生させる。このとき、第１周波数は共振回路の共振周波数と等しいので、大きなパルス電圧をフライバックトランスに与えることができる。フライバックトランスはドライブトランスの出力に基づいてフライバックパルスを生成し、生成したフライバックパルスを整流して高電圧の直流電圧に変換した後、変換した直流電圧を陰極線管のアノードに供給する。このようにして、カソードから電子ビームを引き出すときに消費されたアノード電圧は、フライバックトランスから補給されるので、アノードは高電圧を保持し続けることができる。このため、カソードから電子ビームが引き出され続けても、アノードに保持される高電圧は低下しない。
【００１１】
しかし、電源がオフされると、第２水平ドライブ回路は、電源がオン状態のときに寄生容量に蓄積された電荷の放電によって、第１周波数を有する第１水平ドライブ信号の替わりに、第２周波数を有する第２水平ドライブ信号をドライブトランスに向けて出力する。また、第２周波数は共振回路の共振周波数とは異なる周波数なので、ドライブトランスは、電源がオン状態のときのように大きなパルス電圧をフライバックトランスに与えることができない。この結果、フライバックトランスは、陰極線管から電子ビームを引き出すときに消費されるアノード電圧の補給を十分に行うことできなくなる。このように、電源オフ後もカソードから電子ビームを引き出し続けると、電源がオン状態のときにアノードに保持されていた高電圧が放電される。したがって、第２周波数は共振回路の共振周波数と異なる周波数であればよく、厳密に制御された周波数である必要はない。さらに、陰極線管、第１水平ドライブ回路および水平偏向コイルのタイミングを調整しなくてもよいので、水平出力回路の設計が容易になる。このため、水平出力回路の製造コストを低く押さえることができる。
【００１２】
請求項２の発明は、請求項１に従属し、第２周波数は第１周波数よりも高い。この場合、電源がオフされた後にカソードから引き出される電子ビームは、第１周波数よりも高い第２周波数で水平偏向コイルに流れる水平偏向電流によって陰極線管の画面上を水平方向に偏向させられる。このため、電子ビームによって陰極線管が焼けることを防止することができる。
【００１３】
請求項３の発明は、請求項１または２に従属し、第２水平ドライブ回路は単安定マルチバイブレータを含む。この場合、第２水平ドライブ回路として新たな回路を設計する必要はなく、既存の単安定マルチバイブレータを使用できる。このため、水平出力回路の製造コストを低く押さえることができる。
【００１４】
請求項４の発明は、請求項１ないし３のいずれかに従属し、水平出力回路を含むテレビジョン受像機である。この場合、水平出力回路の製造コストを低く押さえることができるので、テレビジョン受像機の製造コストも低く押さえることができる。
【発明の効果】
【００１５】
この発明によれば、安価な部品を用いて容易に設計できるので、水平出力回路の製造コストを低く押さえることができる。
【００１６】
この発明の上述の目的，その他の目的，特徴および利点は、図面を参照して行う以下の実施例の詳細な説明から一層明らかとなろう。
【発明を実施するための最良の形態】
【００１７】
図１を参照して、この発明の実施例であるテレビジョン受像機１０は、ＰＮＰ型のスイッチングトランジスタＴ１を含む。スイッチングトランジスタＴ１のエミッタは端子Ｓ１に接続され、端子Ｓ１とエミッタとの接続点に抵抗Ｒ１の一方端が接続される。抵抗Ｒ１の他方端は、スイッチングトランジスタＴ１のベースに接続される。また、端子Ｓ１には、電源Ｖｃｃなどに含まれる寄生容量Ｃ４が接続される。
【００１８】
スイッチングトランジスタＴ１のコレクタは、ＮＰＮ型のドライブトランジスタＴ６のベースに接続される。抵抗Ｒ１の他方端とベースとの接続点に、抵抗Ｒ２を介してＮＰＮ型のトランジスタＴ４のコレクタが接続される。トランジスタＴ４のエミッタは接地され、ベースはＰＮＰ型のトランジスタＴ２のコレクタおよびＮＰＮ型のトランジスタＴ３のコレクタに接続される。トランジスタＴ３のエミッタは接地され、トランジスタＴ２のエミッタは電源Ｖｃｃに接続される。トランジスタＴ２のベースおよびトランジスタＴ３のベースは、端子Ｓ２に接続される。
【００１９】
端子Ｓ１と抵抗Ｒ１の一方端との接続点に単安定マルチバイブレータ（以下「マルチバイブレータ」という）１２のＢ端子および抵抗Ｒ３の一方端がそれぞれ接続され、抵抗Ｒ３の他方端はマルチバイブレータ１２のＡ＿端子に接続される。抵抗Ｒ３の他方端とＡ＿（＿は反転を意味する）端子との接続点はコンデンサＣ３を介して接地される。端子Ｓ２とトランジスタＴ２のベースとの接続点に、マルチバイブレータ１２のＣＬＲ＿（＿は反転を意味する）端子が接続される。コンデンサＣＸの一方端は、マルチバイブレータ１２のＣＸ端子に接続され、コンデンサＣＸの一方端とＣＸ端子との接続点は接地される。コンデンサＣＸの他方端はマルチバイブレータ１２のＲＸ／ＣＸ端子に接続される。コンデンサＣＸの他方端とＲＸ／ＣＸ端子との接続点は抵抗ＲＸの一方端に接続され、抵抗ＲＸの他方端は電源Ｖｃｃに接続される。また、マルチバイブレータ１２のＱ端子はＰＮＰ型のトランジスタＴ５のベースに接続される。
【００２０】
ＰＮＰ型のトランジスタＴ５のコレクタは接地され、エミッタは抵抗Ｒ４を介して電源Ｖｃｃに接続される。トランジスタＴ５のエミッタと抵抗Ｒ４との接続点は、スイッチングトランジスタＴ１のコレクタとドライブトランジスタＴ６のベースとの接続点に接続される。
【００２１】
ドライブトランジスタＴ６のエミッタは接地され、コレクタはドライブトランス１４の１次巻線Ｎ１の一方端に接続され、１次巻線Ｎ１の他方端は電源Ｖｃｃに接続される。ドライブトランス１４の２次巻線Ｎ２は１次巻線Ｎ１とは逆向き巻かれていて、その一方端は接地され、他方端はＮＰＮ型の水平出力トランジスタＴ７のベースに接続される。
【００２２】
水平出力トランジスタＴ７のエミッタは接地され、コレクタはフライバックトランス１６の１次巻線Ｎ３の一方端に接続される。水平出力トランジスタＴ７のコレクタと１次巻線Ｎ３の一方端との接続点に、ダンパーダイオードＤ１のアノード、共振コンデンサＣ１の一方端および偏向ヨークＤＹの一方端がそれぞれ接続される。ダンパーダイオードＤ１のカソードおよび共振コンデンサＣ１の他方端はそれぞれ接地され、偏向ヨークＤＹの他方端もＳ字補正コンデンサＣ２を介して接地される。なお、共振コンデンサＣ１と偏向ヨークＤＹにより共振回路２０を構成する。
【００２３】
フライバックトランス１６の１次巻線Ｎ３の他方端は、電源Ｖｃｃに接続される。フライバックトランス１６の２次巻線Ｎ４は１次巻線Ｎ３とは逆向きに巻かれていて、その一方端は接地され、他方端はフライバックトランス１６に設けられたダイオードＤ２のアノードに接続される。ダイオードＤ２のカソードは、ブラウン管１８のアノード１８ａに接続される。
【００２４】
なお、フライバックトランス１６には、可変抵抗Ｒ５、３次巻線Ｎ５および４次巻線Ｎ６が設けられている。可変抵抗Ｒ５の一方端は、２次巻線Ｎ４の他方端とダイオードＤ２のアノードとの接続点に接続され、他方端は接地される。可変抵抗Ｒ５には２つの可変部があり、２つの可変部はそれぞれフォーカス電圧Ｆｏ、スクリーン電圧Ｆｃをブラウン管１８に与えるために、フライバックトランス１６の端子を介してブラウン管１８に接続される。また、３次巻線Ｎ５はフライバックトランス１６の端子を介してテレビジョン受像機１０内の必要な回路に接続され、４次巻線Ｎ６はフライバックトランス１６の端子を介してブラウン管１８のカソード１８ｂを加熱するヒータに接続される。ただし、これらの接続状態はこの発明と直接関係がないので、図１ではその接続状態の図示を省略する。
【００２５】
端子Ｓ３は映像信号処理回路２２に接続され、映像信号処理回路２２はブラウン管１８のカソード１８ｂに接続される。この端子Ｓ３には、図示しないアンテナおよびチューナ回路が接続される。
【００２６】
次に、このテレビジョン受像機１０の水平出力回路の動作について、図２のタイミングチャートを参照して説明する。まず、テレビジョン受像機１０の電源Ｖｃｃがオンされている場合について説明する。端子Ｓ１に接続された水平発振回路（図示せず）から、第１水平ドライブ信号がスイッチングトランジスタＴ１のエミッタ、マルチバイブレータ１２のＡ＿端子およびＢ端子にそれぞれ与えられる。この第１水平ドライブ信号は、周波数が約１５．７３４ｋＨｚの矩形波である。
【００２７】
電源Ｖｃｃがオンされている間、ＣＰＵ（図示せず）から端子Ｓ２を介してトランジスタＴ２のベースおよびトランジスタＴ３のベースに、それぞれローレベル信号が与えられる。トランジスタＴ３はオフされ、トランジスタＴ２はオンされるので、トランジスタＴ２からハイレベル信号が出力される。出力されたハイレベル信号は、トランジスタＴ４のベースに与えられ、トランジスタＴ４がオンされる。このため、スイッチングトランジスタＴ１のベースは抵抗Ｒ２を介して接地され、エミッタとベースとの間に電位差が生じ、スイッチングトランジスタＴ１はオンされる。この結果、図２（Ａ）に示すように、スイッチングトランジスタＴ１のベースに与えられた第１水平ドライブ信号がコレクタから出力される。
【００２８】
このとき、マルチバイブレータ１２のＣＬＲ＿端子にはＣＰＵからローレベル信号が与えられているので、後述のようにマルチバイブレータ１２のＱ端子からはローレベル信号が出力される。トランジスタＴ５のベースにローレベル信号が与えられると、トランジスタＴ５はオフされる。このため、マルチバイブレータ１２のＱ端子から出力されたローレベル信号に基づく信号は、トランジスタＴ５のエミッタから出力されない。
【００２９】
スイッチングトランジスタＴ１のコレクタから出力された第１水平ドライブ信号は、ドライブトランジスタＴ６のベースに与えられる。ベースに与えられた第１水平ドライブ信号がハイレベル信号のとき、ドライブトランジスタＴ６はオンされ、コレクタ電流が、電源Ｖｃｃからドライブトランス１４の１次巻線Ｎ１を通って接地されたエミッタに流れる。ドライブトランス１４の１次巻線Ｎ１にコレクタ電流が流れると、２次巻線Ｎ２に流れる電流は１次巻線Ｎ１とは逆方向、すなわち２次巻線Ｎ２の接地された一方端から他方端に流れ、水平出力トランジスタＴ７のベースにローレベル信号が与えられる。
【００３０】
次に、ドライブトランジスタＴ６のベースに与えられた第１水平ドライブ信号がローレベル信号に変わると、ドライブトランジスタＴ６はオフされる。ドライブトランジスタＴ６がオフされると、ドライブトランス１４に逆起電力が生じ、水平出力トランジスタＴ７のベースにハイレベル信号が与えられる。この結果、図２（Ｂ）に示すように、水平出力トランジスタＴ７のベース電圧は、第１水平ドライブ信号と逆の極性となる。
【００３１】
水平出力トランジスタＴ７のベースにハイレベル信号が与えられると、水平出力トランジスタＴ７はオンされ、コレクタ電流が流れる。次に、水平出力トランジスタＴ７のベースにローレベル信号が与えられると、水平出力トランジスタＴ７はオフされるので、コレクタ電流は零になる。このとき、コレクタ電流は急激に遮断されるので、偏向ヨークＤＹに逆起電圧が生じ、共振回路２０に共振電流が流れる。その結果、共振コンデンサＣ１に充電電流が流入し、偏向ヨークＤＹにフライバックパルスと呼ばれるパルスが発生する（図２（Ｃ））。
【００３２】
フライバックトランス１６の１次巻線Ｎ３にフライバックパルスが与えられると、フライバックトランス１６で昇圧され、２次巻線Ｎ４から昇圧されたパルス電圧が出力される。昇圧されたパルス電圧は、２次巻線Ｎ４に接続されたダイオードＤ２、およびブラウン管１８などの寄生容量により整流されて、高圧の直流電圧となる（図２（Ｄ））。整流された高圧の直流電圧は、ブラウン管１８のアノード１８ａに印加される。
【００３３】
また、共振コンデンサＣ１の端子電圧が電源Ｖｃｃの電圧を超えると、ダンパーダイオードＤ１がオンされるため、共振回路２０が短絡されて共振が停止する。しかし、偏向ヨークＤＹのインダクタンスとダンパーダイオードＤ１の内部抵抗による時定数によって、偏向コイルを流れる水平偏向電流は直線的に減少する。水平偏向電流が零となる時間に再び水平出力トランジスタＴ７がオンされれば、上述の動作が繰り返されて、図２（Ｅ）に示されるような鋸波が発生する。なお、ダンパーダイオードＤ１は、フライバックパルスの振動を防止するためのものであり、コンデンサＣ２はＳ字補正を行うためのものである。
【００３４】
一方、チューナ回路から所望のチャネルの映像信号が映像信号処理回路２２に与えられると、映像信号処理回路２２は与えられた映像信号に各種の処理を施した後、ＲＧＢ形式のコンポジットビデオ信号を生成する。生成されたコンポジットビデオ信号は、ブラウン管１８のカソード１８ｂに与えられる。図２（Ｆ）に、カソード１８ｂに与えられたコンポジットビデオ信号を示す。図２（Ｆ）で、コンポジットビデオ信号の電圧が最も高いレベルが黒レベルを示し、電圧が０Ｖのレベルが白レベルを示す。コンポジットビデオ信号に基づく電子ビームは、アノード１８ａとカソード１８ｂとの電位差によってカソード１８ｂから引き出される。このときのビーム電流を図２（Ｇ）に示す。
【００３５】
カソード１８ｂから引き出された電子ビームは、偏向ヨークＤＹを流れる水平偏向電流によって、水平方向に偏向され、ブラウン管１８の蛍光面を光らせて映像を表示する。なお、図２（Ｇ）でカソード１８ｂの電圧が周期的に低下している期間は、水平帰線期間を表している。
【００３６】
次に、テレビジョン受像機１０の電源Ｖｃｃがオフされた場合について説明する。電源Ｖｃｃがオフされると、ＣＰＵから与えられたハイレベル信号が端子Ｓ２を介してトランジスタＴ２のベース、トランジスタＴ３のベースおよびマルチバイブレータ１２のＣＬＲ＿端子にそれぞれ与えられる。ベースに与えられたハイレベル信号によりトランジスタＴ２はオフされ、トランジスタＴ３はオンされるので、トランジスタＴ３からローレベル信号が出力される。出力されたローレベル信号をベースに与えられたトランジスタＴ４はオフされる。この結果、スイッチングトランジスタＴ１のエミッタとベースは同電位になるので、スイッチングトランジスタＴ１もオフされる。このため、第１水平ドライブ信号は、スイッチングトランジスタＴ１のコレクタに出力されない。
【００３７】
一方、電源Ｖｃｃがオン状態のときに寄生容量Ｃ４に蓄積された電荷の放電によって、マルチバイブレータ１２のＡ＿端子およびＢ端子に水平発振回路から第１水平ドライブ信号が与えられる。この第１水平ドライブ信号は、電源Ｖｃｃがオフされた瞬間に零にならず、電源Ｖｃｃなどに含まれる寄生容量Ｃ４のため時間とともに振幅が減衰し、数秒後に零になる矩形波である。Ａ＿端子に入力される第１水平ドライブ信号は、抵抗Ｒ３とコンデンサＣ３により、Ｂ端子に入力される第１水平ドライブ信号よりも位相が９０度進められた信号である。これらの入力信号に基づいて、時間とともに振幅が減衰する第２水平ドライブ信号が生成され、生成された第２水平ドライブ信号がマルチバイブレータ１２のＱ端子から出力される。第２水平ドライブ信号は、図２（Ａ）に示すように、第１水平ドライブ信号の２倍程度の周波数を有する矩形波である。このときのマルチバイブレータ１２の動作については後述する。
【００３８】
以下の動作は電源Ｖｃｃがオンされている場合の動作と同じなので、詳細な説明を省略し、要点だけを説明する。ドライブトランジスタＴ６のベースに第２水平ドライブ信号が与えられると、水平出力トランジスタＴ７のベースには、第２水平ドライブ信号の極性を逆にした電圧が与えられる（図２（Ｂ））。水平出力トランジスタＴ７のオン／オフにより、時間とともに減衰するフライバックパルスが偏向ヨークＤＹに発生する（図２（Ｃ））。
【００３９】
この結果、ブラウン管１８のアノード１８ａに与えられる高圧直流電圧は時間とともに減衰する（図２（Ｄ））。また、偏向ヨークＤＹに流れる水平偏向電流の形状も時間とともに減衰する鋸波となる（図２（Ｅ））。
【００４０】
さらに、映像信号処理回路２２の電源Ｖｃｃも寄生容量Ｃ４に蓄積された電荷の放電により供給されるので、映像信号処理回路２２から出力される映像信号も時間とともに減衰する（図２（Ｆ））。このため、ブラウン管１８のカソード１８ｂから放出されるビーム電流も時間とともに減衰し、数秒間でほぼ零となる（図２（Ｇ））。
【００４１】
このように、テレビジョン受像機１０の電源Ｖｃｃがオフされると、水平出力トランジスタＴ７のベースに与えられる信号が、第１水平ドライブ信号から第２水平ドライブ信号に切り換えられる。第２水平ドライブ信号の周波数は共振回路２０の共振周波数とは異なるので、共振コンデンサＣ１の充放電が追いつかなくなり、フライバックトランス１６に与えられる出力が小さくなる。フライバックトランス１６に与えられる出力が小さくなると、フライバックトランス１６からアノード１８ａに印加される直流電圧が低下する。したがって、カソード１８ｂから電子ビームを引き出すときに消費されるアノード１８ａ電圧の補給が十分にできなくなる。この結果、カソード１８ｂから電子ビームを引き出し続けると、アノード１８ａに保持されていた高電圧は、電源Ｖｃｃがオフされた後数秒間で消費されてしまう。すなわち、図２（Ｈ）に示されるように、斜線部分のエネルギを電源Ｖｃｃのオフ後数秒間で消費して、アノード１８ａに保持されている高電圧を放電させることができる。
【００４２】
また、第２水平ドライブ信号に基づいて水平偏向電流を生成している。しかも、第２水平ドライブ信号の周波数は第１水平ドライブ信号の周波数よりも高いので、カソード１８ｂから引き出された電子ビームを高い周波数の水平偏向電流により、電子ビームを水平方向に偏向させることができる。このため、電子ビームによってブラウン管１８が焼けることを防止することができる。
【００４３】
次に、マルチバイブレータ１２の動作について説明する。この実施例では、マルチバイブレータ１２として東芝製のＴＣ７４ＨＣ１２３Ａを使用する場合について説明する。しかし、上述のマルチバイブレータ１２に限定されず、他のマルチバイブレータを使用することもできる。
【００４４】
第１水平ドライブ信号が、水平発振回路から端子Ｓ１を介してマルチバイブレータ１２のＢ端子に与えられる（図３（Ａ））。同時に、抵抗Ｒ３とコンデンサＣ３により位相を９０度進めた第１水平ドライブ信号が、マルチバイブレータ１２のＡ＿端子に与えられる（図３（Ｂ））。
【００４５】
Ｂ端子およびＡ＿端子に与えられた第１水平ドライブ信号によって、図３（Ｃ）に示すように、コンデンサＣＸの充放電が繰り返される。すなわち、Ａ＿端子に与えられる第１水平ドライブ信号がハイレベル信号で、Ｂ端子に与えられる第１水平ドライブ信号が立ち下がるとき、またはＡ＿端子に与えられる第１水平ドライブ信号がローレベル信号で、Ｂ端子に与えられる第１水平ドライブ信号が立ち上がるときに、充電されていたコンデンサＣＸの放電が開始される。また、Ｂ端子に与えられる第１水平ドライブ信号がハイレベル信号で、Ａ＿端子に与えられる第１水平ドライブ信号が立ち上がるとき、またはＢ端子に与えられる第１水平ドライブ信号がローレベル信号で、Ａ＿端子に与えられる第１水平ドライブ信号が立ち下がるとき、コンデンサＣＸ端子電圧は基準電圧である電源Ｖｃｃの電圧よりも大きくなる。
【００４６】
コンデンサＣＸの充放電に対応して、マルチバイブレータ１２は、図３（Ｄ）に示すように、矩形波でかつ第１水平ドライブ信号の約２倍の周波数を有する第２水平ドライブ信号を生成する。すなわち、第２水平ドライブ信号は、コンデンサＣＸの放電が開始されると同時に立ち上がってハイレベル信号となり、コンデンサＣＸの端子電圧が基準電圧よりも大きくなるとローレベル信号となる矩形波である。
【００４７】
電源Ｖｃｃがオン状態のとき、ＣＰＵから端子Ｓ２を介してローレベル信号がマルチバイブレータ１２のＣＬＲ＿端子に与えられる（図３（Ｅ））。マルチバイブレータ１２にローレベル信号が与えられると、図３（Ｆ）に示すように、マルチバイブレータ１２は生成された第２水平ドライブ信号ではなく、ローレベル信号をＱ端子から出力する。
【００４８】
一方、電源Ｖｃｃがオフされると、ＣＰＵから端子Ｓ２を介してハイレベル信号がマルチバイブレータ１２のＣＬＲ＿端子に与えられる（図３（Ｅ））。マルチバイブレータ１２にハイレベル信号が与えられると、図３（Ｆ）に示すように、マルチバイブレータ１２はＱ端子から第２水平ドライブ信号を出力する。
【００４９】
ここで、電源Ｖｃｃがオン状態のとき、第１水平ドライブ信号の振幅は一定である。したがって、マルチバイブレータ１２から出力される第２水平ドライブ信号の振幅も一定である。しかし、電源Ｖｃｃがオフされると、電源Ｖｃｃなどに含まれる寄生容量Ｃ４のために、第１水平ドライブ信号の振幅はオフされた瞬間に零とはならず、時間とともに減衰して数秒後に零になる。これに伴い、コンデンサＣＸの端子電圧も時間とともに減衰するので、マルチバイブレータ１２から出力される第２水平ドライブ信号の振幅も同様に減衰する。
【００５０】
この実施例では、第２水平ドライブ信号の周波数を第１水平ドライブ信号の２倍の周波数である約３０ｋＨｚとした。この周波数は、第２水平ドライブ信号がハイレベルの時間を、コンデンサＣＸの容量と抵抗ＲＸの抵抗値を用いて下記の式に基づき１７μ秒とし、さらにＡ＿端子に入力される第１水平ドライブ信号の位相をＢ端子に入力される第１水平ドライブ信号の位相よりも９０度進めて、第２水平ドライブ信号がローレベルの時間をハイレベルの時間と同じになるよう調整することによって生成することができる。具体的には、コンデンサＣＸの容量が１７ｎＦ，抵抗ＲＸの抵抗値が１ｋΩの場合、ハイレベルの時間は、
［数１］
ハイレベルの時間＝１．０＊ＣＸ＊ＲＸ
＝１．０＊１６＊１０−９＊１．０＊１０３
＝１７μ秒
また、Ａ＿端子に入力される第１水平ドライブ信号の位相を、Ｂ端子に入力される第１水平ドライブ信号の位相よりも９０度進めると、Ｑ端子から出力される第２水平ドライブ信号のハイレベルの時間とローレベルの時間を同じにすることができる。したがって、第２水平ドライブ信号の周期は３４μ秒となり、周波数は約３０ｋＨｚとなる。
【００５１】
このように、コンデンサＣＸの容量値、抵抗ＲＸの抵抗値およびＡ＿端子に入力される第１水平ドライブ信号の位相を変えることによって、Ｑ端子から出力される第２水平ドライブ信号周波数を任意の値に設定することができる。
【００５２】
なお、第２水平ドライブ信号の周波数は、共振回路２０の共振周波数と異なる周波数であれば、アノード１８ａに保持されている高電圧を短時間で放電させることができるので、厳密に制御された周波数である必要はない。さらに、第２水平ドライブ信号の周波数は、第１水平ドライブ信号の周波数よりも高ければ、ブラウン管が焼けないようにして電子ビームを水平方向に偏向させることができる。しかし、効率的に高電圧を放電させるためには、第２水平ドライブ信号の周波数を３０〜５０ｋＨｚとすることが好ましい。
【００５３】
以上の説明から分かるように、テレビジョン受像機１０の電源Ｖｃｃがオン状態のときは、スイッチングトランジスタ（第１水平ドライブ回路）Ｔ１から与えられる第１水平ドライブ信号がドライブトランス１４に与えられる。ドライブトランス１４は、第１水平ドライブ信号を増幅して第１周波数を有するドライブ電流を出力する。共振回路２０は、ドライブトランス１４から出力されたドライブ電流に基づいてパルス電圧を発生させる。このとき、第１周波数は共振回路２０の共振周波数と等しいので、大きなパルス電圧をフライバックトランス１６に与えることができる。パルス電圧が与えられたフライバックトランス１６は、ドライブトランス１４の出力に基づいてフライバックパルスを生成し、生成したフライバックパルスを整流して高電圧の直流電圧に変換した後、変換した直流電圧をブラウン管１８のアノードに供給する。このようにして、カソード１８ｂから電子ビームを引き出すことにより消費されたアノード１８ａの電圧は、フライバックトランス１６から供給されるので、アノード１８ａは高電圧を保持し続けることができる。このため、カソード１８ｂから電子ビームが引き出され続けても、アノード１８ａに保持される高電圧は低下しない。
【００５４】
しかし、電源Ｖｃｃがオフされると、マルチバイブレータ（第２水平ドライブ回路）１２は、電源Ｖｃｃがオン状態のときに寄生容量Ｃ４に蓄積された電荷の放電によって、第１周波数を有する第１水平ドライブ信号の替わりに、第２周波数を有する第２水平ドライブ信号をドライブトランス１４に与える。また、第２水平ドライブ信号の周波数は共振回路２０の共振周波数とは異なる周波数なので、ドライブトランス１４は、オン状態のときのように大きなパルス電圧をフライバックトランス１６に与えることができない。このため、フライバックトランス１６は、ブラウン管１８から電子ビームを引き出すことにより消費されるアノード１８ａの電圧を補給できなくなる。したがって、電源Ｖｃｃのオフ後もカソード１８ｂから電子ビームを引き出し続けると、電源Ｖｃｃがオン状態のときにアノード１８ａに保持されていた高電圧を放電させることができる。このように、第２水平ドライブ信号の周波数は共振回路２０の共振周波数と異なる周波数であればよく、厳密に制御された周波数である必要はない。また、電子ビームを偏向させるときに、ブラウン管１８、スイッチングトランジスタＴ１および偏向ヨーク（水平偏向コイル）ＤＹのタイミングを調整しなくてもよいので、テレビジョン受像機１０の設計が容易になる。このため、テレビジョン受像機１０の製造コストを低く押さえることができる。
【００５５】
また、電源Ｖｃｃがオフされた後にカソード１８ｂから引き出される電子ビームは、第１周波数よりも高い第２周波数で偏向ヨークＤＹに流れる水平偏向電流によってブラウン管の画面上を水平方向に偏向させられる。このため、電子ビームによりブラウン管１８が焼けることを防止することができる。
【図面の簡単な説明】
【００５６】
【図１】この発明の一実施例を示す回路図である。
【図２】図１実施例の動作を示すタイミングチャートである。
【図３】図１実施例の一部の動作を示すタイミングチャートである。
【符号の説明】
【００５７】
１０…テレビジョン受像機
１２…マルチバイブレータ
１４…ドライブトランス
１６…フライバックトランス
１８…ブラウン管
１８ａ…アノード
１８ｂ…カソード
２０…共振回路
【図１】
2005203867.tif 000003
【図２】
2005203867.tif 000004
【図３】
2005203867.tif 000005